(57)【要約】【課題】従来IRMを用いた受信機は、IRMからのIF信号レベルを検出してIRMへの入力レベルを制御しているが、IRM出力はイメージ信号とLO波の混合波はすでに抑圧されており、イメージ信号の強度が考慮されない。  またIRMに入力するRF信号を直接、検出する方法は、レベル検出器を周波数の高いRF帯で動作させなければならず、コスト高になる。【解決手段】受信信号と局部発振信号を混合する第１、第２の２つの周波数変換器と、この２つの周波数変換器の出力を合成する合成器とを有するＩＲＭと、前記第１、または第２の周波数変換器の何れか一方の出力信号を入力し、入力信号の強度に応じた信号を出力する第１のレベル検出手段と、前記第１のレベル検出手段からの出力で前記イメージリジェクションミクサに入力する受信信号の信号レベルを制御する信号レベル制御手段とを備える。【選択図】図１
2005311775.tif 000002
【特許請求の範囲】
【請求項１】
受信信号と局部発振信号を混合する少なくとも第１、第２の２つの周波数変換器と、この２つの周波数変換器の出力を合成し、イメージ信号とLO波の混合波は抑制し、所望波とLO波の混合波を出力する合成手段とを有するイメージリジェクションミクサと、
前記イメージリジェクションミクサを構成する第１、または第２の周波数変換器の何れか一方の出力信号を入力し、入力信号の強度に応じた信号を出力する第１のレベル検出手段と、
前記第１のレベル検出手段からの出力で前記イメージリジェクションミクサに入力する受信信号の信号レベルを制御する信号レベル制御手段とを備えることを特徴とする受信機。
【請求項２】
前記信号レベル制御手段は、前記第１のレベル検出手段からの出力で前記イメージリジェクションミクサに入力する受信信号の利得を制御する可変利得増幅器であることを特徴とする請求項１記載の受信機。
【請求項３】
前記合成手段は、前記第１、第２の周波数変換器の他方の出力を９０度の移相差を生じさせる９０度移相器と、
この９０度移相器の出力と、前記第１、第２の周波数変換器の一方の出力とを合成する同相合成器とで構成されることを特徴とする請求項１または２記載の受信機。
【請求項４】
前記合成手段は、ポリフェーズフィルタで構成されることを特徴とする請求項１または２記載の受信機。
【請求項５】
前記周波数変換器の他方の出力端子と前記合成手段の入力端子との接続部にインピーダンス素子を接続したことを特徴とする請求項１乃至４の何れかに記載の受信機。
【請求項６】
前記第１のレベル検出手段は、前記イメージリジェクションミクサを構成する第１および第２の周波数変換器の双方の出力信号を入力することを特徴とする請求項１乃至４の何れかに記載の受信機。
【請求項７】
前記第１のレベル検出手段は、前記イメージリジェクションミクサの出力を増幅する中間周波可変利得増幅器の利得を制御する構成にされたことを特徴とする請求項２乃至６の何れかに記載の受信機。
【請求項８】
前記イメージリジェクションミクサの出力を増幅する中間周波可変利得増幅器の出力信号を入力し、その出力信号の強度に応じて、当該中間周波可変利得増幅器の利得を制御する第２のレベル検出手段を備えたことを請求項２乃至６の何れかに記載の受信機。
【請求項９】
受信信号と局部発振信号を混合する少なくとも第１、第２の２つの周波数変換器と、この２つの周波数変換器の出力を合成し、イメージ信号とLO波の混合波は抑制し、所望波とLO波の混合波を出力する合成器とを有するイメージリジェクションミクサと、
前記イメージリジェクションミクサを構成する第１、または第２の周波数変換器の何れか一方の出力信号を入力し、入力信号の強度に応じた信号を出力するレベル検出手段と、
前記レベル検出手段からの出力で前記第１、第２の２つの周波数変換器のバイアス電流を制御し、前記第１、第２の２つの周波数変換器の飽和特性を調整するバイアス制御回路とを備えることを特徴とする受信機。
【請求項１０】
前記バイアス制御回路は、前記イメージリジェクションミクサに入力する受信信号を増幅する可変利得増幅器のバイアス電流をも制御し、レベル検出手段からレベルの低いRF信号を受信しているときは、増幅器と２つの周波数変換器のバイアス電流を低く設定し、受信するRF信号のレベルが大きくなるにつれてバイアス電流を増加する構成にされたことを特徴とする請求項９記載の受信機。
【請求項１１】
前記イメージリジェクションミクサとしてハートレー形イメージリジェクションミクサを用いたことを特徴とする請求項１乃至１０の何れかに記載の受信機。
【請求項１２】
前記イメージリジェクションミクサとして、
第1、第2の前段の周波数変換器と、
第1、第2の前段の周波数変換器の出力をそれぞれ入力する後段の第３、第４の周波数変換器と、
この第３、第４の周波数変換器の出力を合成し、イメージ信号とLO波の混合波は抑制し、所望波とLO波の混合波を出力する合成手段とを有するウェーバー形イメージリジェクションミクサを用いたことを特徴とする請求項１乃至１０に記載の受信機。
【請求項１３】
前記第１のレベル検出手段は、前記後段の第３、第４の周波数変換器の何れか一方の出力信号を入力し、入力信号の強度に応じた信号を出力する構成にされたことを特徴とする請求項1２記載の受信機。
【発明の詳細な説明】
【技術分野】
【０００１】
この発明は、イメージリジェクションミクサ(IRM)を用いた受信機に関するものである。
【背景技術】
【０００２】
イメージリジェクションミクサ(IRM)は位相差をつけた2つのミクサの出力を合成することで、イメージ信号とLO(局部発振器発振信号)波の混合波を抑圧し、所望波とLO波の混合波だけを出力するもので、通常のヘテロダイン受信機ではミクサ前段に設けるイメージ信号除去用フィルタを削除することができる（例えば、非特許文献１）。
従来のイメージリジェクションミクサ(IRM)を用いた受信機は、高レベルの信号を受信した場合のIRMの飽和を避けるため、IRMから出力されるIF(中間周波数)信号の強度をレベル検出器を用いて検出し、この出力を用いて、IRM前段の可変利得増幅器の利得を制御している（例えば、特許文献１）。また、IRMの飽和を回避する別の方法としては、RF（受信信号周波数）帯のレベル検出器を用いてIRMに入力するRF信号の強度を直接、検出し、その出力を用いてIRM前段の可変利得増幅器の利得を低下させる方法も考えられる。
【０００３】
【非特許文献１】Behzad Razavi著、黒田忠弘監訳「RFマイクロエレクトロニクス」丸善株式会社,2002年3月25日、P151〜160
【特許文献１】特表2001-513275号公報  第4図
【発明の開示】
【発明が解決しようとする課題】
【０００４】
特許文献１に示す従来のIRMを用いた受信機は、IRMから出力されるIF信号のレベルを検出してIRMに入力する信号の強度を求めている。しかし、IRM出力ではすでにイメージ信号とLO波の混合波は抑圧されているため、IRMの出力をレベル検出に用いるとIRM入力におけるイメージ信号の強度が考慮されないという問題点があった。
【０００５】
またIRMに入力するRF信号を直接、検出する場合は、レベル検出器を周波数の高いRF帯で動作させなければならず、コストが高くなるという問題点があった。
【０００６】
この発明は上記のような問題点を解決するためになされたもので、IF帯のレベル検出器を用いて、IRMに入力する信号の強度を正確に検出することを目的とする。
【課題を解決するための手段】
【０００７】
この発明に係る受信機は、受信信号と局部発振信号を混合する少なくとも第１、第２の２つの周波数変換器と、この２つの周波数変換器の出力を合成し、イメージ信号とLO波の混合波は抑制し、所望波とLO波の混合波を出力する合成器とを有するイメージリジェクションミクサ（IRM）と、
前記第１、または第２の周波数変換器の何れか一方の出力信号を入力し、入力信号の強度に応じた信号を出力する第１のレベル検出手段と、
前記第１のレベル検出手段からの出力で前記イメージリジェクションミクサに入力する受信信号の信号レベルを制御する信号レベル制御手段とを備える。
【発明の効果】
【０００８】
この発明に係る受信機は、IRMに入力する信号のレベルをIF(中間周波数)信号の強度を検出するレベル検出器を用いて正確に検出することができるのでコスト上昇を招くことがないという効果を奏する。
【発明を実施するための最良の形態】
【０００９】
実施の形態１．
この発明の実施の形態１に係る受信機について図面を参照しながら説明する。図１はこの発明の実施の形態1に係る受信機の構成を示す図である。なお、各図中、同一符号は、同一又は相当部分を示す。
【００１０】
図１において、１は信号レベル制御手段としてのRF(受信信号周波数)帯の可変利得増幅器(RF-AGC)、2は第1の同相分配器、3、4は周波数変換器である第1、第2の単位ミクサ、5は第2の同相分配器、6、7はそれぞれ90度の移相遅れを生じさせる第1、第2の90度移相器、8は同相合成器、9は２〜８を構成要素とするイメージリジェクションミクサ(IRM)、10はIF帯の通過帯域フィルタ(IF-BPF)、11はIF（中間周波数）帯の可変利得増幅器(IF-AGC)、12は第1の単位ミクサ3の出力信号レベルをモニタする第１のレベル検出器、13はIF-AGC11の出力信号レベルをモニタする第２のレベル検出器である。
なお、本実施の形態１では第2の90度移相器7と、同相合成器8で合成手段を構成している。
【００１１】
つぎに、この実施の形態１に係る電力検波器の動作について図面を参照しながら説明する。
【００１２】
アンテナ端子からの受信(RF)信号はRF-AGC 1で増幅されてIRM 9に入力する。RF信号はまず、同相分配器2で同相分配され、第1、第2の単位ミクサ3、4に入力する。一方、外部から供給されたLO波は第２の同相分配器5で同相分配された後に一方は直接、第1の単位ミクサ3に供給され、他方は第1の90度移相器6を経て90度の位相遅れが生じた状態で第2の単位ミクサ4に供給されて、それぞれ第1、第2の単位ミクサ3、4からRF帯の所望波とLO波の混合波および、イメージ信号とLO波の混合波であるIF帯の信号が出力される。
【００１３】
このとき所望波とLO波の混合波は、第1の単位ミクサ3の出力と第2の単位ミクサ4の出力において＋90度の位相差を有する。一方、イメージ信号とLO波の混合波は、第1の単位ミクサ3の出力と第2の単位ミクサ４の出力において−90度の位相差を有する。
【００１４】
第2の単位ミクサ4の出力は第2の移相器7を通る際に−90度の位相変化を受ける。これにより、所望波とLO波の混合波は、第1の単位ミクサ3の出力と第2の移相器７の出力において同相となる。一方、イメージ信号とLO波の混合波は、第1の単位ミクサ3の出力と第2の移相器７の出力において−180度の位相差となり逆相となる。
【００１５】
これらの信号を同相合成器8で同相合成すると、イメージ信号とLO波の混合波は抑制され、所望波とLO波の混合波のみが出力される。IRM9の出力は所望波近傍の不要波も含むのでIF-BPF 10でこれを除去したあと、IF-AGC 11で増幅してAD変換器へ出力する。
【００１６】
強レベルのRF信号が入力した場合のIRM9の飽和を回避するため、IRM9を構成する第1の単位ミクサ3の出力を第1のレベル検出器12に入力し、その出力信号を用いてRF-AGC1の利得を制御する。また、AD変換器への入力レベルが適正となるよう、IF-AGC11の利得は第2のレベル検出器13でIF-AGC11の出力信号レベルをモニタし、その出力を用いて制御する。
【００１７】
特許文献１に示す受信機ではIRMの飽和を回避するため、IRM9の出力信号をモニタしてIRM9に入力するRF信号のレベルを制御している。しかし、IRM9の出力ではすでにイメージ信号とLO波の混合波が抑制されているので、イメージ信号が強レベルの場合はその入力レベルを正確に検出できず、飽和を回避できない。これに対し、本実施の形態ではイメージ信号とLO波の混合波が抑制される前の第１の単位ミクサ3の出力をレベル検出器12に入力し、IRM９に入力するRF信号のレベルを制御していることから、イメージ信号の強度の大小にかかわらず、IRM９の飽和を回避することができる効果がある。またレベル検出器12に入力する信号の周波数はIF帯であるから、構成が複雑で高価なRF帯のレベル検出器を用いる必要がなく、製造コストを低くできる効果がある。
【００１８】
なお、本実施の形態はRFの利得可変増幅器（(RF-AGC）1を用いてIRM9の入力信号の強度を制御しているが、これに変えて受信信号の経路としてIRM9前段の増幅器をパスさせる構成や、利得可変増幅器1に代えて可変減衰器を用いる構成、増幅器の電源を遮断して利得を低める方法も可能で、同様の効果がある。
【００１９】
また、本実施の形態はレベル検出器12の出力を用いて直接、IRM９前段の可変利得増幅器（(RF-AGC）1の利得を制御しているが、この発明はこれに限らず、レベル検出器12の出力をマイコンに取りこんで制御信号を生成し、これを使って、IRM９前段の増幅器の利得を制御してもよい。レベル検出器12の入力電力と出力信号の関係と、可変利得増幅器1の制御信号と利得の関係をあらかじめ測定しておき、これをマイコン上にテーブルや関数で記憶させておくことで、精度の高い利得制御が可能となる。
【００２０】
また、本実施の形態では、第2のレベル検出器13の入力は、IF-AGC11の出力であるアナログ信号であるが、この発明はこれに限らず、IF-AGC11の出力であるアナログ信号をAD変換器でディジタル信号に変換し、ディジタル部でそのレベルを検出して、IF−AGC11の利得を制御してもよい。
【００２１】
また、本実施の形態では、第1の単位ミクサ3の出力を第1のレベル検出器12に入力しているが、この発明はこれに限らず、第2の単位ミクサ4の出力や、第2の移相器７の出力を、第1のレベル検出器12に入力してもよく、同様の効果がある。
【００２２】
図２は本実施の形態の別の実施例に係る受信機の構成を示す図である。図中、同一符号は、同一又は相当部分を示す。
【００２３】
図２において、14はポリフェーズフィルタである。
【００２４】
本実施例におけるポリフェーズフィルタ14は第１、第2の単位ミクサ３、４の出力を９０度の位相差で合成する働きを有しており、図1に示す実施の形態１において第2の移相器７と同相合成器8を合せた機能を有する回路である。
【００２５】
本実施例においても、IRM9における所望波とLO波の混合波およびイメージ信号とLO波の混合波の位相関係は同一であり、ポリフェーズフィルタ14の出力においては、前者は出力され、後者は抑制される。したがって、イメージ信号とLO波の混合波が抑制されていない第1の単位ミクサ3の出力を第1のレベル検出器12に入力することで、IRM9に入力する信号レベルを正確に検出でき、その出力を用いてIRM9の前段に設けられたRF-AGC１の利得を制御することで、IRM９の飽和を回避することができる効果がある。またレベル検出器12に入力する信号の周波数はIF帯であるから、構成が複雑で高価なRF帯のレベル検出器を用いる必要がなく、製造コストを低くできる効果がある。
【００２６】
実施の形態２．
以上の実施の形態１では、イメージ信号を含むRF信号によるIRM9の飽和を回避するために、IRM9を構成する一方の単位ミクサの出力端子にレベル検出器12の入力端子を接続して、IRM9に入力する信号のレベルを正確に検出するものであるが、次にIRM9を構成する他方の単位ミクサの出力に分岐を設けて、そこに適当な値のインピーダンス素子を接続して、それぞれの単位ミクサから負荷側を見たインピーダンスおよび出力側合成器の2つの入力端子から信号源側を見たインピーダンスを等しくしてIRM9のイメージ抑圧比の劣化を回避する実施の形態を示す。
【００２７】
図３はこのような実施の形態の構成図である。図中、15はインピーダンス素子である。図1、図２と同じ構成要素については同一の番号を付して説明を省略する。
【００２８】
本実施の形態では、実施の形態1と同様に、IRM9を構成する第1の単位ミクサ3の出力を第1のレベル検出回路12に入力する。そして、IRM9を構成する第２の単位ミクサ4とポリフェーズフィルタ14との接続部に適当なインピーダンス値のインピーダンス素子15を並列接続する。
【００２９】
一般にIRM9におけるイメージ信号とLO波の混合波の抑制量(イメージ抑圧比)を40ｄB確保しようとすると、合成の際の振幅誤差は0.1dB以下、位相誤差は1度以下である必要がある。IRM9を構成する第１の単位ミクサ3やポリフェーズフィルタ14は、第1のレベル検出器12を接続したことにより負荷インピーダンまたは信号源インピーダンスが変化するため、当然のことながらその出力信号の振幅や位相、通過特性などが変化する。しかし、その変化量は所望のイメージ抑圧比を確保できる範囲内でなければならず、非常に小さい値である。
【００３０】
したがって本実施の形態に示すように、第1のレベル検出器12が接続された第1の単位ミクサ3とは反対側の、第2の単位ミクサ4の出力側に適当なインピーダンス値のインピーダンス素子15を並列接続して、第１、第2の単位ミクサ3、4から負荷側を見たインピーダンスと、ポリフェーズフィルタ14の2つの入力端子から信号源側を見たインピーダンスを等しくする。このようにすることで、2つの単位ミクサ3、4およびポリフェーズフィルタ14が同様な特性の変化を生じさせ、イメージ抑圧比の劣化を極力抑制したうえで、これまで述べた実施の形態と同様、IRM９に入力する信号レベルを正確に検出できる。その検出出力を用いてIRM9の前段に設けられたRF-AGC１の利得を制御することで、IRM９の飽和を回避することができる。またレベル検出器12に入力する信号の周波数はIF帯であるから、構成が複雑で高価なRF帯のレベル検出器を用いる必要がなく、製造コストを低くできる効果がある。
【００３１】
また、本実施の形態では、第2の単位ミクサ4の出力側に適当なインピーダンス素子15を並列接続しているが、この発明はこれに限らず、直列にインピーダンス素子を接続しても同様の効果がある。
【００３２】
実施の形態３．
以上の実施の形態１、２では、イメージ信号を含むRF信号によるIRM9の飽和を回避するために、IRM9を構成する一方の単位ミクサの出力端子にレベル検出器12の入力端子を接続して、IRM9に入力する信号のレベルを正確に検出するものであるが、次にIRM9を構成する２つの単位ミクサの出力をレベル検出器12に入力して、IRM9の飽和を回避するようにした実施の形態を示す。
【００３３】
図４はこのような実施の形態の構成図である。これまでの図と同じ構成要素については同一の番号を付して説明を省略する。
【００３４】
本実施の形態では、IRM9を構成する第1、第2の2つの単位ミクサ3、4の双方の出力を第1のレベル検出回路12に入力することで、IRM9の内部における第１、第2の単位ミクサ3、4の負荷インピーダンスの変化およびポリフェーズフィルタ14の2つの入力端子の信号源インピーダンスの変化を等しくし、イメージ抑圧比の劣化を抑制しつつ、IRM9に入力する信号レベルを正確に検出し、IRM9の飽和の回避を図るものである。
【００３５】
第1のレベル検出器12として、２つの等しい入力回路を有するレベル検出器を用いることで、第1、第2の単位ミクサ3、4の負荷インピーダンスおよび、ポリフェーズフィルタ14の２つの信号源インピーダンスの変化が等しくなり、第1のレベル検出器12の接続によるイメージ抑圧比の劣化を抑制することができる効果がある。
【００３６】
当然のことならが、これまで述べた実施の形態と同様、IRM9に入力する信号レベルを正確に検出でき、その出力を用いてIRM9の前段に設けられたRF-AGC１の利得を制御することで、IRM9の飽和を回避することができる。またレベル検出器12に入力する信号の周波数はIF帯であるから、構成が複雑で高価なRF帯のレベル検出器を用いる必要がなく、製造コストを低くできる効果がある。
【００３７】
第1のレベル検出器12は、単純に2つの信号の自乗平均に応じた出力信号を出力するようにすればよい。原理的には、第1、第2の単位ミクサ3、4から出力される信号のレベルは同一のはずである。
【００３８】
ただし、例えば第1の同相分配器2の分配誤差などにより、一方の単位ミクサの出力信号のレベルが他方に比べて大きくなる可能性もある。このような場合に対処するため、第1のレベル検出器12は、2つの入力端子に入力する信号のうち、大きいほうの信号のレベルに応じた出力信号を出力するようにしてもよい。これを用いてIRM9前段のRF-AGC１の利得を制御すれば、IRM9の飽和を必ず回避できることになる。
【００３９】
実施の形態４．
以上の実施の形態では、IRM9を構成する一方の単位ミクサの出力端子にレベル検出器12の入力端子を接続し、その出力信号を用いてIRM9前段のRF-AGC１の利得を制御して、IRM9の飽和を回避するようにしたものであるが、次に前記レベル検出器12の出力信号を用いてIRM9後段のIF−AGC11の利得も同時に制御するようにした実施の形態を示す。
【００４０】
図５はこのような実施の形態の構成図である。これまでの図と同じ構成要素については同一の番号を付して説明を省略する。
【００４１】
本実施の形態では、第1のレベル検出器12の出力信号を用いて、IRM9前段のRF-AGC1とIRM9後段のIF-AGC11の双方の利得を制御する。
【００４２】
IRM9に入力する信号において、強力な隣接信号が存在しない場合は、IRM9の入力信号レベルをもとにIRM9から出力される信号のレベルを推測し、IF−AGC11の利得を変化させて、AD変換器に入力するレベルを調整することも可能である。
【００４３】
これにより、第2のレベル検出器13を削除することが可能となる。
【００４４】
実施の形態５．
以上の実施の形態では、イメージ信号を含むRF信号によるIRM9の飽和を回避するために、IRM9を構成する単位ミクサの出力信号の強度をモニタしてRF帯の可変利得増幅器の利得を制御するようにしたものであるが、次にIRM9のバイアス電流を制御してIRM9の飽和を回避する実施の形態を示す。
【００４５】
図６はこのような実施の形態の構成図である。図中、16はIRM9を構成する第1、第2の単位ミクサ3、4のバイアスを制御するバイアス制御回路、1７は所定利得を有するRF帯の増幅器(RF-AMP)であり、第1、第2の単位ミクサ3、4はバイアス電流によりその飽和特性を変化させられるとする。図1から図５と同じ構成要素については同一の番号を付して説明を省略する。
【００４６】
本実施の形態でも実施の形態1と同様に、IRM9を構成する第1の単位ミクサ3の出力を第1のレベル検出回路12に入力する。そしてその出力信号をバイアス制御回路1６に入力して、IRM9を構成する第1、第2の単位ミクサ3、4のバイアス電流を制御する。バイアス電流を増加したときに飽和電力が高くなるようにしておけば、強レベルのイメージ信号を含むRF信号が入力してもIRM9の飽和を回避できる。
【００４７】
また、IRM9を構成する第1の同相分配器2が能動回路で構成されている場合は、そのバイアス電流も同時に制御することでIRM9の飽和を回避できる。
【００４８】
なお本実施の形態では、強レベルのRF信号が入力した場合にバイアス電流を制御してIRM9の飽和を回避したが、この発明はこれに限らず、IRM9と同時に前段のRF帯増幅器17のバイアス電流も制御してその双方の飽和を回避してもよい。さらにバイアス電流の制御を積極的に利用して、レベルの低いRF信号を受信しているときは、RF帯増幅器17およびIRM9のバイアス電流を低く設定しておき、受信するRF信号のレベルが大きくなるにつれてバイアス電流を増やすようにすることで、受信機全体の消費電力を低減することができる。
【００４９】
なお本実施の形態でも、実施の形態３と同様、一方の単位ミクサ3の出力にレベル検出器12を接続したことによるイメージ除去比の低下を抑制するために、2つの単位ミクサ3、4の出力をレベル検出器12に入力する構成が考えられる。この場合、2つの単位ミクサ3、4から出力される信号のレベルを独立に求めることができるので、IRM9を構成する2つの単位ミクサ3、4のバイアス電流を独立に制御することも可能である。このような実施例に係る受信機の構成を図７に示す。図７ではレベル検出器12は2つの単位ミクサ3、4の出力を別々に入力して、その信号のレベルを独立に求め、バイアス制御回路16はレベル検出器12からの信号のレベルにより第1、第2の単位ミクサ3、4のバイアス電流を最適に制御する。このような構成により、2つの単位ミクサ3、4はそのバイアス電流が最適に制御され、入力信号レベルの高い場合は飽和を回避し、入力信号レベルの低い場合は消費電力を最小限に低減することができる。
【００５０】
実施の形態６．
以上の実施の形態では、IRM9としてハートレー型IRMを用いたものであるが、次にウェーバー型IRMを用いた構成について示す。
【００５１】
図８はウェーバー形IRM24を用いたこの発明による受信機の実施の形態の構成図である。図中、18、19は第1、第2の低域通過フィルタ(LPF)、20は第3の同相分配器、21は第3の90度移相器、22、23は後段の第3、第4の単位ミクサ、24はウェーバー形IRMであり、図1から図7と同じ構成要素については同一の番号を付して説明を省略する。
【００５２】
本実施の形態で使用しているウェーバー型IRM 24は、第1、第2の単位ミクサ3、4の出力を第1、第2のLPF 18、19で濾波したあと、後段の第3、第4の単位ミクサ22、23で再度周波数変換する構成である。後段の第3、第4の単位ミクサ22、23のLO波は、外部から供給されたLO波(LO2)を第3の同相分配器20で同相分配した後、一方は直接、他方は第3の移相器21を経て、90度の位相差を有する状態で後段の第3、第4の単位ミクサ22、23に印加する。その出力では、所望波とLO波の混合波は同相、イメージ信号とLO波の混合波は逆相となっているので、これを同相合成器8で合成するとその出力には所望波とLO波の混合波のみが出力される。
【００５３】
本実施の形態においても、IRM24を構成する第1の単位ミクサ3の出力をレベル検出器12に入力しているので、IRM24に入力するイメージ信号を含むRF信号の強度を正確に求めることができ、レベル検出器12の出力で前段のRF帯可変利得増幅器１の利得を制御するのでIRM24の飽和を回避できる。
【００５４】
なお、本実施の形態では、IRM24を構成する第1の単位ミクサ3の出力をレベル検出器12に入力しているがこの発明ではこれに限らず、第2の単位ミクサ4の出力をレベル検出器12に入力してもよい。また第3の単位ミクサ22または第4の単位ミクサ23の出力をレベル検出器12に入力してもよい。
【００５５】
また図９に示すように、第1のレベル検出器12の出力を用いてIRM24を構成する第1、第2、第3、第4の単位ミクサ3、4、22、23のバイアス電流を制御して、各単位ミクサの飽和特性を向上させ、強レベルの信号を受信した場合のIRM2４の飽和を回避することができる。
この構成は、レベル検出器12で第1の単位ミクサ3の出力を入力して、その信号レベルを検出し、バイアス制御回路14が第1、第2、第3、第4の単位ミクサ3、4、22、23のバイアス電流を制御している。
【００５６】
実施の形態７．
以上の実施の形態では、ウェーバー型IRMを構成する第１または、第2の単位ミクサの出力をレベル検出器に入力しているが、次に後段の第3または、第4の単位ミクサの出力をレベル検出器12に入力する構成について示す。
【００５７】
図１０はこの発明による受信機の実施の形態の構成図である。図1から図9と同じ構成要素については同一の番号を付して説明を省略する。
【００５８】
この発明は図１０に示すように、第1の単位ミクサ3の後段の第3の単位ミクサ22の出力信号をレベル検出器12に入力している。イメージ信号とLO波の混合波が抑制されるのは、同相合成器８の出力以降であるから、本構成によってもイメージ信号を含むIRM24に入力する信号のレベルを検出することが可能である。
【００５９】
なお、本実施の形態の他の実施例を図１１に示し、25は第1のAD変換器、26は第2のAD変換器である。本構成では、第1、第2の単位ミクサ3、4の出力を第1、第2のLPF 18、19で濾波したあと、第1、第2のAD変換器25、26でAD変換してディジタル信号にディジタル回路上の後段の第3、第4の単位ミクサ22、23で周波数変換を行う。これにより、後段の第3、第4の単位ミクサ22、23の周波数変換時の誤差を抑制することができる。また、第1のレベル検出器12もディジタル回路上に構成できるので、容易に検出精度を高くすることができる。
【００６０】
また、本実施例でも、例えば第1のレベル検出器12を第１の単位ミクサ３の出力に接続した場合は、第２の単位ミクサ４の出力に適当なインピーダンス素子を接続することで、IRM24のイメージ抑圧比の劣化を抑制することができる。同様に、例えば第１の単位ミクサ3と第2の単位ミクサ4の双方の出力を第1のレベル検出器12に入力することで、IRM24のイメージ抑圧比の劣化を抑制することができる。
【産業上の利用可能性】
【００６１】
この発明は、IF帯のレベル検出器を用いて、IRMに入力する信号の強度を正確に検出するので、安価な構成でIRMの飽和を避けることでき、デジタルテレビジョン受像機（ＤＴＶ）のフロントエンド等ＩＲＭを使用する受信機に適用されると、これらの装置のコストダウンが図れる。
【図面の簡単な説明】
【００６２】
【図１】この発明の実施の形態1に係る受信機の構成を示す図である。
【図２】この発明の実施の形態1に係る受信機の他の実施例の構成を示す図である。
【図３】この発明の実施の形態2に係る受信機の構成を示す図である。
【図４】この発明の実施の形態3に係る受信機の構成を示す図である。
【図５】この発明の実施の形態4に係る受信機の構成を示す図である。
【図６】この発明の実施の形態5に係る受信機の構成を示す図である。
【図７】この発明の実施の形態5に係る受信機の他の実施例の構成を示す図である。
【図８】この発明の実施の形態6に係る受信機の構成を示す図である。
【図９】この発明の実施の形態6に係る受信機の他の実施例の構成を示す図である。
【図１０】この発明の実施の形態7に係る受信機の構成を示す図である。
【図１１】この発明の実施の形態7に係る受信機の他の実施例の構成を示す図である。
【符号の説明】
【００６３】
１  RF帯の可変利得増幅器(RF-AGC)、２  第1の同相分配器、３  第1の単位ミクサ、４  第2の単位ミクサ、５  第2の同相分配器、６  第1の90度移相器、７  第2の90度移相器、８  同相合成器、９  イメージリジェクションミクサ(IRM)、１０  IF帯の通過帯域フィルタ(IF-BPF)、１１  IF帯の可変利得増幅器(IF-AGC)、１２  第1のレベル検出器、１３  第2のレベル検出器、１４  ポリフェーズフィルタ、１５  インピーダンス素子、１６  バイアス制御回路、１７  RF帯の増幅器(RF-AMP)、１８  第1の低域通過フィルタ(LPF)、１９  第2の低域通過フィルタ(LPF)、２０  第3の同相分配器、２１  第3の90度移相器、２２  第3の単位ミクサ、２３  第4の単位ミクサ、２４  ウェーバー形IRM、２５  第１のAD変換器、２６  第２のAD変換器。
【図１】
2005311775.tif 000003
【図２】
2005311775.tif 000004
【図３】
2005311775.tif 000005
【図４】
2005311775.tif 000006
【図５】
2005311775.tif 000007
【図６】
2005311775.tif 000008
【図７】
2005311775.tif 000009
【図８】
2005311775.tif 000010
【図９】
2005311775.tif 000011
【図１０】
2005311775.tif 000012
【図１１】
2005311775.tif 000013